(57)【要約】【課題】「仮想編集機能」で編集された映像素材を、最小限の容量で、映像品質が劣化することなく効率的に転送する。【解決手段】送り側装置Ａ１１は、編集素材の転送指示があったとき、転送指示される編集素材名から該当する編集情報を素材情報格納部Ａ１３から読み出し、開始フレーム及び終了フレームの時間位置を把握する。このとき、収録素材格納部Ａ１２から元素材を読み出し、開始フレームを含むＧＯＰを先頭ＧＯＰ、終了フレームを含むＧＯＰを最終ＧＯＰとして、両ＧＯＰを含めて編集素材を切り出す。また、編集情報の開始フレームを先頭ＧＯＰの先頭からのフレーム数に、終了フレームを最終ＧＯＰの先頭からのフレーム数に変換して保持する。このようにして作成された編集素材ＳＵＢ０００１は、その編集情報と共にMPEG2 Long-GOPデータの形式で受け側装置Ｂに転送される。【選択図】    図２
2006262320.tif 000002
【特許請求の範囲】
【請求項１】
MPEG Long-GOP方式で圧縮処理された映像素材の任意の範囲を切り出し、その切り出し素材を転送する映像素材転送方法において、
前記映像素材の切り出し編集時に開始フレームの時間位置及び終了フレームの時間位置をそれぞれ編集情報として保存し、
前記編集情報の切り出し開始フレームを含むＧＯＰを先頭ＧＯＰとし、切り出し終了フレームを含むＧＯＰを最終ＧＯＰとして、前記先頭ＧＯＰから最終ＧＯＰまでの範囲を切り出し、編集情報の開始フレームを先頭ＧＯＰの先頭からのフレーム数に、終了フレームを最終ＧＯＰの先頭からのフレーム数に変換して、前記切り出し素材を前記編集情報と共に転送することを特徴とする映像素材転送方法。
【請求項２】
MPEG Long-GOP方式で圧縮処理された映像素材の任意の範囲を切り出し、その切り出し素材を転送する映像素材転送送り側装置において、
前記映像素材の切り出し編集時に開始フレームの時間位置及び終了フレームの時間位置をそれぞれ編集情報として保存する編集情報保存手段と、
転送指示に応じて、前記編集情報の切り出し開始フレームを含むＧＯＰを先頭ＧＯＰとし、切り出し終了フレームを含むＧＯＰを最終ＧＯＰとして、前記先頭ＧＯＰから最終ＧＯＰまでの範囲を切り出し、編集情報の開始フレームを先頭ＧＯＰの先頭からのフレーム数に、終了フレームを最終ＧＯＰの先頭からのフレーム数に変換して、前記切り出し素材を前記編集情報と共に転送する転送手段とを具備することを特徴とする映像素材転送送り側装置。
【請求項３】
MPEG Long-GOP方式で圧縮処理された映像素材の任意の範囲を切り出し、その切り出し素材を転送する映像素材転送受け側装置において、
送り側装置で、前記映像素材の切り出し編集時に開始フレームの時間位置及び終了フレームの時間位置をそれぞれ編集情報として保存し、前記編集情報の切り出し開始フレームを含むＧＯＰを先頭ＧＯＰとし、切り出し終了フレームを含むＧＯＰを最終ＧＯＰとして、前記先頭ＧＯＰから最終ＧＯＰまでの範囲を切り出し、編集情報の開始フレームを先頭ＧＯＰの先頭からのフレーム数に、終了フレームを最終ＧＯＰの先頭からのフレーム数に変換して、前記切り出し素材を前記編集情報と共に転送するとき、
前記切り出し素材を格納する素材格納部と、
前記編集情報を格納する編集情報格納部と、
前記切り出し素材の再生時に、前記編集情報に基づいて前記切り出し素材を仮想編集する仮想編集手段とを備えることを特徴とする映像素材転送受け側装置。
【発明の詳細な説明】
【技術分野】
【０００１】
本発明は、送信側で編集情報を用いて映像素材の一部のみを再生して得られる映像仮想編集結果を、受信側で再現可能なように映像素材を転送する映像素材転送方法と映像素材転送送り側装置及び映像素材転送受け側装置に関する。
【背景技術】
【０００２】
従来より、映像情報処理装置にあっては、予め編集時の作業情報（以下、編集情報）を用いてオリジナル収録映像素材（以下、収録素材）の一部のみを再生する「仮想編集機能」が広く用いられている。この仮想編集機能をMPEG2 Long-GOP方式の映像圧縮技術を用いた映像記録／再生装置で使用することを前提に、本機能で編集された収録素材を他の装置に転送して再現するためには、以下の方法がある。
【０００３】
（１）送り側装置で編集情報に基づいて収録素材をMPEG2データ上で切り出し、切り出したMPEG2データのみを受け側装置に転送する。（２）送り側装置から受け側装置に収録素材と編集情報を共に転送し、受け側装置で編集情報を用いて収録素材を仮想編集する。（３）送り側装置で編集情報に基づいて収録素材の一部のみを映像としてデコード再生し、その再生映像を受け側装置で収録する。
【０００４】
しかしながら、（１）の方法では、MPEG2 GOPの再構成処理が必要となる。この処理は複雑な計算が必要なため、送り側装置のハードウェア負荷が増大する。（２）の方法では、再生に不要な部分も一緒に転送するため、（１）の方法に比べて転送量や受け側装置の記録媒体使用量も増大する。（３）の方法では、MPEG2データの伸張／圧縮処理を経由するため、他の方法に比べて画質が劣化する。
【０００５】
尚、映像信号伝送技術としては、特許文献１にその一例が示されている。
【特許文献１】特開平１１−２２５１２７号公報
【発明の開示】
【発明が解決しようとする課題】
【０００６】
以上述べたように、「仮想編集機能」を利用して送り側装置で編集された映像素材を受け側装置で再現するための従来の映像素材転送方法では、送り側装置、受け側装置の少なくともいずれかに負荷がかかる、映像品質が劣化するといった問題があった。
【０００７】
本発明は、上記の問題を解決するために、「仮想編集機能」を利用して送り側装置で編集された映像素材を、最小限の容量で、映像品質が劣化することなく効率的に受け側装置に転送可能な映像素材転送方法と映像素材転送送り側装置及び映像素材転送受け側装置を提供することを目的とする。
【課題を解決するための手段】
【０００８】
上記の目的を達成するために、本発明に係る映像素材転送方法と映像素材転送送り側装置及び映像素材転送受け側装置は、以下のように構成される。
【０００９】
（１）MPEG Long-GOP方式で圧縮処理された映像素材の任意の範囲を切り出し、その切り出し素材を転送する映像素材転送方法において、前記映像素材の切り出し編集時に開始フレームの時間位置及び終了フレームの時間位置をそれぞれ編集情報として保存し、前記編集情報の切り出し開始フレームを含むＧＯＰを先頭ＧＯＰとし、切り出し終了フレームを含むＧＯＰを最終ＧＯＰとして、前記先頭ＧＯＰから最終ＧＯＰまでの範囲を切り出し、編集情報の開始フレームを先頭ＧＯＰの先頭からのフレーム数に、終了フレームを最終ＧＯＰの先頭からのフレーム数に変換して、前記切り出し素材を前記編集情報と共に転送することを特徴とする。
【００１０】
（２）MPEG Long-GOP方式で圧縮処理された映像素材の任意の範囲を切り出し、その切り出し素材を転送する映像素材転送送り側装置において、前記映像素材の切り出し編集時に開始フレームの時間位置及び終了フレームの時間位置をそれぞれ編集情報として保存する編集情報保存手段と、転送指示に応じて、前記編集情報の切り出し開始フレームを含むＧＯＰを先頭ＧＯＰとし、切り出し終了フレームを含むＧＯＰを最終ＧＯＰとして、前記先頭ＧＯＰから最終ＧＯＰまでの範囲を切り出し、編集情報の開始フレームを先頭ＧＯＰの先頭からのフレーム数に、終了フレームを最終ＧＯＰの先頭からのフレーム数に変換して、前記切り出し素材を前記編集情報と共に転送する転送手段とを具備することを特徴とする。
【００１１】
（３）MPEG Long-GOP方式で圧縮処理された映像素材の任意の範囲を切り出し、その切り出し素材を転送する映像素材転送受け側装置において、送り側装置で、前記映像素材の切り出し編集時に開始フレームの時間位置及び終了フレームの時間位置をそれぞれ編集情報として保存し、前記編集情報の切り出し開始フレームを含むＧＯＰを先頭ＧＯＰとし、切り出し終了フレームを含むＧＯＰを最終ＧＯＰとして、前記先頭ＧＯＰから最終ＧＯＰまでの範囲を切り出し、編集情報の開始フレームを先頭ＧＯＰの先頭からのフレーム数に、終了フレームを最終ＧＯＰの先頭からのフレーム数に変換して、前記切り出し素材を前記編集情報と共に転送するとき、前記切り出し素材を格納する素材格納部と、前記編集情報を格納する編集情報格納部と、前記切り出し素材の再生時に、前記編集情報に基づいて前記切り出し素材を仮想編集する仮想編集手段とを備えることを特徴とする。
【発明の効果】
【００１２】
上記した発明によれば、「仮想編集機能」を利用して送り側装置で編集された映像素材を、最小限の容量で、映像品質が劣化することなく効率的に受け側装置に転送可能な映像素材転送方法と映像素材転送送り側装置及び映像素材転送受け側装置を提供することができる。
【発明を実施するための最良の形態】
【００１３】
以下、本発明の実施の形態について図面を参照して詳細に説明する。
【００１４】
まず、図１を参照して、仮想編集機能の運用例を説明する。図１において、１１は仮想編集機能を備える映像記録／再生装置である。この装置１１は、例えばメモリバンク装置、ハードディスク装置等の記録媒体を備え、この記録媒体内には収録素材格納部１２、素材情報格納部１３の領域が確保される。尚、ここでは収録素材としてMPEG2 Long-GOPデータ（ＧＯＰ：１５フレーム）を取り扱うものとする。
【００１５】
上記構成による映像記録／再生装置１１では、素材収録時において、オリジナル収録映像素材（以下、元素材：素材名ＯＲＧ０００１）が入力されると、この元素材を収録素材格納部１２に格納し、その元素材に付加されている素材情報を読み出して素材情報格納部１３に格納する。
【００１６】
仮想編集機能では、元素材（素材名ＯＲＧ０００１：先頭フレーム００：００：００：００，終了フレーム０１：２５：３０：４６）に対して、切り出し部分の開始フレーム（００：２１：３０：００）と終了フレーム（００：４５：２０：００）を指定することで編集素材の範囲を特定する。この編集素材には、新たに素材名（図ではＳＵＢ００１）が付加される。この素材名、開始フレーム及び終了フレーム（００：２１：３０：００，００：４５：２０：００）の情報は、編集情報として素材情報格納部１３に格納される。
【００１７】
仮想編集結果の再生時には、素材情報格納部１３に格納される編集情報に基づいて、収録素材格納部１２に格納される元素材の開始フレームから読み出し再生し、終了フレームで読み出しを終了する。このように、仮想編集では、装置上に実体はなく、素材ＯＲＧ００１の一部を再生することにより仮想的に編集素材を生成する。
【００１８】
上記仮想編集機能を有する映像記録／再生装置間で、編集素材を転送する場合について、図２を参照して本発明の一実施形態を説明する。ここで、本実施形態では、収録素材であるMPEG2 Long-GOPデータはＧＯＰ単位でのデータ切り出し処理が簡単で、ハードウェア負荷も軽いという特性を利用する。
【００１９】
図２において、Ａ１１は送り側装置、Ｂ１１は受け側装置であり、いずれも図１に示した仮想編集機能を有する映像記録／再生装置１１である。送り側装置Ａ１１では、上述の編集処理により、素材格納部Ａ１２には元素材ＯＲＧ０００１が格納され、素材情報格納部Ａ１３には素材名ＳＵＢ０００１の編集情報、すなわち開始フレーム及び終了フレームの時間位置が格納されているものとする。
【００２０】
送り側装置Ａ１１は、編集素材ＳＵＢ０００１の転送指示があったとき、図３に示す手順で処理を進める。まず、転送指示される編集素材名ＳＵＢ０００１から該当する編集情報を素材情報格納部Ａ１３から読み出し（Ｓ１）、開始フレーム及び終了フレームの時間位置を把握する（Ｓ２）。このとき、開始フレームを含むＧＯＰを先頭ＧＯＰ、終了フレームを含むＧＯＰを最終ＧＯＰとして（Ｓ３）、両ＧＯＰを含むように、収録素材格納部Ａ１２から元素材ＯＲＧ０００１を読み出して編集素材を切り出す（Ｓ４）。また、編集情報の開始フレームを先頭ＧＯＰの先頭からのフレーム数に、終了フレームを最終ＧＯＰの先頭からのフレーム数に変換して保持する（Ｓ５）。このようにして作成された編集素材ＳＵＢ０００１は、その編集情報と共にMPEG2 Long-GOPデータの形式で受け側装置Ｂに転送される（Ｓ６）。
【００２１】
受け側装置Ｂでは、編集素材ＳＵＢ０００１を収録素材格納部Ｂ１２に格納し、編集情報を編集情報格納部Ｂ１３に格納する。これにより、受け側装置Ｂは、受け取った編集情報に基づいて、編集素材ＳＵＢ０００１を先頭ＧＯＰ内の指定フレームから最終ＧＯＰ内の指定フレームまで再生することができる。
【００２２】
この場合、ＧＯＰ構造を編集素材と共に伝送して、受け側装置で先頭ＧＯＰの指定フレームから再生を開始することができるので、送り側装置側でのMPEG2 GOPの再構成処理は不要であり、送り側装置のハードウェアにほとんど影響しない。また、再生に不要な部分は転送しないため、転送量や受け側装置の記録媒体使用量に係る負担も軽減される。さらに、転送のためにMPEG2データの伸張／圧縮処理を行う必要はないため、映像品質を維持して転送可能であり、良好な映像再生を実現することができる。
【００２３】
尚、本発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００２４】
【図１】本発明に利用される仮想編集機能を有する映像記録／再生装置の構成及び仮想編集機能の運用例を示すブロック図。
【図２】本発明に係る映像素材転送方法が適用される映像素材転送システム構成とその運用例を示すブロック図。
【図３】本発明に係る映像素材転送方法を適用した場合の送り手側装置の具体的な処理の流れを示すフローチャート。
【符号の説明】
【００２５】
１１…映像記録／再生装置、
１２…収録素材格納部、
１３…素材情報格納部、
Ａ１１…送り側装置、
Ａ１２…収録素材格納部、
Ａ１３…素材情報格納部、
Ｂ１１…受け側装置、
Ｂ１２…収録素材格納部、
Ｂ１３…素材情報格納部。
【図１】
2006262320.tif 000003
【図２】
2006262320.tif 000004
【図３】
2006262320.tif 000005